(57)【要約】【課題】  緑化面積をできるだけ広くとることができると共に、その上を人が歩行したときにコケを踏み潰すのを抑制することができるコケ植生用敷ブロックの提供。【解決手段】  コンクリート製の平板ブロック２に形成したコケ植生用凹部３の底部にモルタル底面層３０を形成させ、このモルタル底面層に植生用立体編物４を埋設させることで、植生用立体編物の筒状空隙４０の内部をコケ植生部に形成させる。植生用立体編物の上面と平板ブロックの上面との間に間隔Ｔを設け、各コケ植生用凹部の開口幅Ａ１，Ｂ１を１２ｃｍ〜２１ｃｍ幅の範囲内に形成させ、区画リブ枠２１の枠幅Ｄ及び外周リブ枠２２の枠幅Ｅを、歩行者の足載せ部として３ｃｍ〜１０ｃｍ幅の範囲内に形成させた。【選択図】  図１
2009195182.tif 000002
【特許請求の範囲】
【請求項１】
内部に複数個のコケ植生用凹部（３）が形成されたコンクリート製の平板ブロック（２）と、
前記コケ植生用凹部（３）の底部に形成されたモルタル底面層（３０）と、
表裏に開口して多数の筒状空隙（４０）が形成されるように樹脂繊維を用いてハニカム状に編成された植生用立体編物（４）を備え、
前記植生用立体編物（４）の底部が前記モルタル底面層（３０）の中に埋設されることで、前記筒状空隙（４０）の内部がコケ植生部に形成され、
前記植生用立体編物（４）の上面が平板ブロック（２）の上面よりも低く形成されて、植生用立体編物（４）の上面と平板ブロック（２）の上面との間に間隔（Ｔ）が設けられ、
前記平板ブロック（２）において、前記各コケ植生用凹部（３）の開口幅（Ａ１），（Ｂ１）が１２ｃｍ〜２１ｃｍ幅の範囲内に形成され、
隣接するコケ植生用凹部（３），（３）間の区画リブ枠（２１）の枠幅（Ｄ）、及びコケ植生用凹部（３）とブロック外周との間の外周リブ枠（２２）の枠幅（Ｄ）が、歩行者の足載せ部として３ｃｍ〜１０ｃｍ幅の範囲内に形成されていることを特徴とするコケ植生用敷ブロック。
【請求項２】
請求項１記載のコケ植生用敷ブロック（１）において、前記平板ブロック（２）に各コケ植生用凹部（３）内から平板ブロック（２）の外部に貫通して排水孔（３１）が形成されているコケ植生用敷ブロック。
【発明の詳細な説明】
【技術分野】
【０００１】
本発明は、人の歩行が可能な場所、例えば、コンクリートや土の歩道、土間、中央分離帯、広場、庭等に連結状態あるいは飛び石状態に設置して、そこをコケによって緑化させるために使用するコケ植生用敷ブロックに関する。
【背景技術】
【０００２】
都市圏におけるヒートアイランド現象の対策として、従来、建物の壁面や屋上面にコケを植生させて日射を吸収させる技術が広く知られている。
このうち、人の歩行が可能な場所を緑化の対象としたものとして、本出願人において、縁石ブロックや道路中央分離帯の上面をコケ等によって緑化するようにした技術を既に提案している（特願２００６−２２６６０５号、特願２００６−３１４６９６号）。
また、従来、縁石ブロックの上面をコケ等によって緑化するようにした技術も知られている（特許文献１参照）。
【０００３】
このような縁石ブロックを対象とした緑化技術は、縁石ブロックの上面に植生用凹部を形成させ、この植生用凹部にコケ植生用マットを敷設させたり、土壌や肥料等を埋め込んだ上にコケを植生させたりする構造になっていた。
この場合、縁石ブロックの上面に形成した植生用凹部は、その縁石ブロックの前後方向については開口幅が狭い（２０ｃｍ以内）ため、縁石ブロックの上面を前後方向（奥行方向）に歩行した場合には足（靴等）が植生用凹部に踏み入ってしまうことは少ないが、縁石ブロックの左右方向（長さ方向）については開口幅が広い（３０ｃｍ以上）ため、その縁石ブロックの上面を左右方向に歩行した場合には、足（靴等）が植生用凹部に踏み入り、敷設したコケ植生用マットを踏み付けてしまうことが多い。
【０００４】
また、道路中央分離帯の上面を対象とした先行の緑化技術は、道路中央分離帯の上面にコケ植生用マットを敷設させたものであるため、その上を歩行した場合には、足（靴）がコケ植生用マットを完全に踏み付けてしまうことになる。
【０００５】
このように、コケ植生用マットを踏み付けてしまうと、コケが踏み潰されてしまうため、コケのコロニーがバラバラに崩れ、修復不可能な状態になって終には枯れてしまうという問題が生じる。
【特許文献１】特開２００２−２１２９１１号公報
【発明の開示】
【発明が解決しようとする課題】
【０００６】
本発明は、人の歩行が可能な場所、例えば、コンクリートや土の歩道、土間、中央分離帯、広場、庭等を緑化の対象とすることで都会での緑化面積をできるだけ広くとることができると共に、その上を人が歩行したときにコケを踏み潰してしまうのを抑制させることができるようにしたコケ植生用敷ブロックを提供することを課題としている。
【課題を解決するための手段】
【０００７】
上記の課題を解決するために、本発明（請求項１）のコケ植生用敷ブロックは、
内部に複数個のコケ植生用凹部（３）が形成されたコンクリート製の平板ブロック（２）と、
前記コケ植生用凹部（３）の底部に形成されたモルタル底面層（３０）と、
表裏に開口して多数の筒状空隙（４０）が形成されるように樹脂繊維を用いてハニカム状に編成された植生用立体編物（４）を備え、
前記植生用立体編物（４）の底部が前記モルタル底面層（３０）の中に埋設されることで、前記筒状空隙（４０）の内部がコケ植生部に形成され、
前記植生用立体編物（４）の上面が平板ブロック（２）の上面よりも低く形成されて、植生用立体編物（４）の上面と平板ブロック（２）の上面との間に間隔（Ｔ）が設けられ、
前記平板ブロック（２）において、前記各コケ植生用凹部（３）の開口幅（Ａ１），（Ｂ１）が１２ｃｍ〜２１ｃｍ幅の範囲内に形成され、
隣接するコケ植生用凹部（３），（３）間の区画リブ枠（２１）の枠幅（Ｄ）、及びコケ植生用凹部（３）とブロック外周との間の外周リブ枠（２２）の枠幅（Ｄ）が、歩行者の足載せ部として３ｃｍ〜１０ｃｍ幅の範囲内に形成されている構成とした。
【０００８】
また、本発明（請求項２）のコケ植生用敷ブロックは、
請求項１記載のコケ植生用敷ブロック（１）において、前記平板ブロック（２）に各コケ植生用凹部（３）内から平板ブロック（２）の外部に貫通して排水孔（３１）が形成されている構成とした。
【発明の効果】
【０００９】
本発明では、平板ブロックの内部に形成した複数個のコケ植生用凹部にコケを植生させるため、この平板ブロックを所定の場所に設置させるだけの施工で、簡単にその場所を緑化させることができる。
【００１０】
また、コケ植生用凹部の底部に形成したモルタル底面層の上面に植生用立体編物を埋設しているため、前記植生用立体編物の筒状空隙の底面がモルタル底面層によって閉鎖される。
これにより筒状空隙の内部をコケ植生部としてそこにコケを植生させることができ、コケの脱落を防止して確実にコケを植生させることができるし、植生用立体編物によってモルタル底面層の割れやクラックを補強することができる。
【００１１】
また、平板ブロックに形成した各コケ植生用凹部の開口幅が１２ｃｍ〜２１ｃｍ幅の範囲内に形成されているため、平板ブロックの上を歩行しても、足（靴等）がコケ植生用凹部に踏み入ってしまうのを抑制できる。
また、コケ植生用凹部の周囲に、歩行者の足載せ部となる区画リブ枠と外周リブ枠が形成され、この区画リブ枠と外周リブ枠の枠幅が３ｃｍ〜１０ｃｍ幅の範囲内に形成されているため、この枠上を安全かつ楽に歩行することができ、足（靴等）がコケ植生用凹部に踏み入ってしまうのを抑制できる。
【００１２】
また、植生用立体編物の上面が平板ブロックの上面よりも低く形成されて、植生用立体編物の上面と平板ブロックの上面との間に間隔が設けられているため、区画リブ枠や外周リブ枠の上を歩行する際に、足（靴等）がコケ植生用凹部の上に張り出た場合でも、前記間隔によって靴底との間に隙を保持させることができるし、コケが上に伸びてもコケにクッション性を持たせることができ、コケの踏み潰しを防止することができる。
【００１３】
また、降雨によってコケ植生用凹部の内部に雨水が溜ると、コケが水に浸りコケが腐るという育成不良が生じる。
そこで、各コケ植生用凹部内から平板ブロックの外部に貫通して排水孔を形成させると（請求項２）、この排水孔によって余分な水を排水することができる。
【発明を実施するための最良の形態】
【００１４】
図１は本発明実施例にかかるコケ植生用敷ブロック１の一部切欠斜視図、図２は平板ブロック２の平面図、図３はコケ植生用敷ブロック１の設置例を示す断面図である。
【００１５】
平板ブロック２は内部に複数個のコケ植生用凹部３が形成されている。
この実施例の平板ブロック２は、縦幅Ａ及び横幅Ｂ（図２に示す）がそれぞれ４４ｃｍの平面正方形、厚さＣ（図１に示す）が３．５ｃｍのコンクリートブロックであって、工場で製造されたコンクリート二次製品である。
なお、図示省略したが、平板ブロック２の内部には補強用鉄筋が埋設されている。
【００１６】
前記各コケ植生用凹部３は、縦開口幅Ａ１及び横開口幅Ｂ１（図２に示す）がそれぞれ１４ｃｍの平面正方形に形成され、その底部に所定の厚み（実施例では５〜１０ｍｍ）でモルタル底面層３０が形成され、このモルタル底面層３０に植生用立体編物４の底部が埋設されている。
【００１７】
また、前記平板ブロック２において、隣接するコケ植生用凹部３，３間の区画リブ枠２１の枠幅Ｄ（図２に示す）、及びコケ植生用凹部３とブロック外周との間の外周リブ枠２２の枠幅Ｅ（図２に示す）が、歩行者の足載せ部として３ｃｍ〜１０ｃｍ幅の範囲内に形成されている。
【００１８】
実施例では、前記コケ植生用凹部３は平面正方形で、平板ブロック２の縦方向及び横方向にそれぞれ２個づつ形成されて合計４個のコケ植生用凹部３が形成されているが、コケ植生用凹部３が複数個形成されると共に、コケ植生用凹部３の開口幅Ａ１，Ｂ１が１２ｃｍ〜２１ｃｍ幅の範囲内、区画リブ枠２１の枠幅Ｄ及び外周リブ枠２２の枠幅Ｅが３ｃｍ〜１０ｃｍ幅の範囲内に形成されていれば、コケ植生用凹部３の平面形状（例えば、長方形、円形、楕円形）、個数、配列は適宜に決定することができる。
【００１９】
なお、コケ植生用凹部３の開口幅Ａ１，Ｂ１を１２ｃｍ〜２１ｃｍ幅の範囲内にしたのは、１２ｃｍ以下にすると十分な緑化面積をとることができないし、２１ｃｍ以上にすると歩行に際しコケ植生用凹部３への足の踏み入れが起き易くなってしまうためである。
また、区画リブ枠２１の枠幅Ｄ及び外周リブ枠２２の枠幅Ｅを３ｃｍ〜１０ｃｍ幅の範囲内に形成したのは、３ｃｍ以下にすると歩行する際の足載せ部としての安定性が得られにくくなるし、１０ｃｍ以上にすると平板ブロック２の重量が重くなってしまうからである。
【００２０】
前記植生用立体編物４は、表裏に開口して多数の筒状空隙４０が形成されるように樹脂繊維を用いてハニカム状に編成されている。
前記筒状空隙４０の平面形状は図面で示した六角形に限らず、円形、方形、多角形でもよい。
この植生用立体編物４としては、ユニチカテクノス（株）製のキュービックアイ（商標）が好適に使用できる。
【００２１】
なお、この植生用立体編物４は、本願出願人が既に提案したコケ植生体（特開２００６−２４６８８６号公報）に用いた立体編物と同様に、多数の網目開口部を形成するように樹脂繊維を用いて編成した表裏二枚の網状編成部を厚み方向に連結させる連結繊維列を備え、前記連結繊維列により囲まれた筒状空隙４０が表裏の網目開口部間に開口して形成されたもので、その詳細は省略する。
【００２２】
そして、前記コケ植生用凹部３内において、植生用立体編物４の裏面部（下側部）が前記モルタル底面層３０の中に上面から埋設されることで、前記多数の筒状空隙４０が、その底面がモルタルによる底壁によって閉鎖されたコケ植生部に形成される。
このとき、前記植生用立体編物４の上面が平板ブロック２の上面よりも低く形成されて、植生用立体編物４の上面と平板ブロック２の上面との間に間隔Ｔ（（図１に示す：実施例では１ｃｍ）が生じるように、植生用立体編物４の厚み（実施例では２．５ｃｍ）が設定されている。
【００２３】
又、前記植生用立体編物４の筒状空隙（コケ植生部）４０に保水材４１を詰め込み、この保水材４１の上にコケを植生させるようにしている。
【００２４】
前記筒状空隙４０に詰め込む保水材４１としては、綿、ヘチマ繊維、ヤシ繊維、パルプかす、その他の植物繊維、熱可塑性樹脂製糸条（例えば、モスネット協会製作、商標：モスフラット）、布（織布、不織布繊維）、ロックウール、ガラスウール、保水性骨材、保水性発泡体、合成繊維綿マット、繊維ボード、繊維球状体等が用いられ、これらを単独、あるいは組み合わせて使用できる。
【００２５】
この場合、コケが定着し易いように、保水材４１として綿や不織布等の繊維材で保水性骨材を包んで用いるようにすることができる。
この保水性骨材としては、パミス（商標：大江化学社製商品）、ゼオライト、珪藻土、軽石、パーライト等の多孔性骨材を、粒状のまま、あるいはセメントや接着剤で固めて使用することができる。
【００２６】
又、前記モルタル底面層３０は、植生用立体編物４の裏面を埋設させるためのベース部材となると共に、モルタルの保水性を利用した保水材としても機能する。
【００２７】
以上のように、コケを植生用立体編物４の筒状空隙４０内に植生させるため、コケが植生用立体編物４の繊維に絡まり、また植生用立体編物４の樹脂繊維が防風林の如くコケを保護する状態になるため、風雨等によってコケが脱落するといったことがなく、コケの植生を長期に亘って確実に維持させることができる。
【００２８】
また、降雨によってコケ植生用凹部３の内部に雨水が溜ると、コケが水に浸りコケが腐るという育成不良が生じるため、コケ植生用凹部３の内部に溜った余分な水を排水する必要がある。
そのための排水孔３１が各コケ植生用凹部３内から外周リブ枠２２を貫通して外部に至るように形成されている。
【００２９】
施工手順としては、工場で製造したコケ植生用敷ブロック１を、所定の施工現場（例えば、コンクリートや土の歩道、土間、中央分離帯、広場、庭等）に連結状態あるいは飛び石状態に設置させるものである。
【００３０】
この場合、植生用立体編物４の筒状空隙４０にコケを予め植生させた状態のコケ植生用敷ブロック１を施工場所に設置させるのが通常であるが、コケを植生させない状態でコケ植生用敷ブロック１を施工場所に設置させ、その設置後においてコケを筒状空隙４０に植生させることもできる。
【００３１】
コケ植生用敷ブロック１の設置に際し、このコケ植生用敷ブロック１を施工場所にアンカー等を打ち込むことで固定させてもよいし、モルタルを接着剤として固定させてもよいし、合成樹脂接着剤で接着固定させてもよく、場所によってはコケ植生用敷ブロック１を置くだけて設置することもできる。
【００３２】
また、コケ植生用敷ブロック１を敷設する前に、設置場所（図２の実施例ではコンクリート歩道路面９）に貯水穴５を形成させてもよい。この貯水穴５には水の染み出しを防止するために不透水カップ５０が嵌め込まれている。
【００３３】
このような貯水穴５を形成させた場合、コケ植生用敷ブロック１のモルタル底面層３０に貯水穴５の上に位置して貫通穴を形成させる。
このように貯水穴５を形成させると、この貯水穴５に溜まった雨水が蒸発することに伴い、前記貫通穴を通して植生用立体編物４の筒状空隙（コケ植生部）４０を湿潤させることができる。
【００３４】
この際、筒状空隙（コケ植生部）４０からモルタル底面層３０を貫通させて貯水穴５内に吸水紐等を延長させ、毛細管現象を利用してモルタル底面層３０及び筒状空隙（コケ植生部）４０を湿潤させることもできる。
この貯水穴５は必ずしも必要でなく、モルタル底面層３０の保水性や保水材によって湿潤環境を得ることができる。
【００３５】
なお、本発明でいうコケとは、スナゴケ、ハイゴケ、スギゴケ、その他のコケ類を含む。コケ植生用凹部３と全体の平板ブロック２の面積比率は５０〜７０％が好ましい。
【図面の簡単な説明】
【００３６】
【図１】本発明実施例にかかるコケ植生用敷ブロックの一部切欠斜視図である。
【図２】平板ブロックの平面図である。
【図３】コケ植生用敷ブロックの設置例を示す断面図である。
【符号の説明】
【００３７】
１  コケ植生用敷ブロック
２  平板ブロック
２１  区画リブ枠
２２  外周リブ枠
３  コケ植生用凹部
３０  モルタル底面層
３１  排水孔
４  植生用立体編物
４０  筒状空隙
４１  保水材
５  貯水穴
５０  不透水カップ
９  コンクリート歩道路面
Ａ  縦幅
Ｂ  横幅
Ａ１  縦開口幅
Ｂ１  横開口幅
Ｃ  厚さ
Ｄ  枠幅
Ｅ  枠幅
Ｔ  間隔
【図１】
2009195182.tif 000003
【図２】
2009195182.tif 000004
【図３】
2009195182.tif 000005